(57)【要約】【課題】溶接を減らし溶接ビード処理を軽減して、簡易な構造で、製造・組立効率が良く、接合部分が表面に露出しない、階段・斜路等の通路用の手摺とする。【解決手段】スパンＬ０で配置した断面コ字状の外支柱片１８と内支柱片２４とを横桟３２で連結して、手摺枠部材３３とする。踏板５７を有する階段基部４１のささら桁１の外面に、支柱受け金具１２が固定されている。手摺枠部材３３、３３を並列し、隣接する外支柱片１８に内支柱片２４を嵌合して支柱３０を形成する。支柱３０を組み立てながら、支柱受け金具１２を内外支柱片１８、２４で挟み、ボルト・ナットでまとめて固定する。支柱３０の上端に形成される上取付穴に、トップレール３５の連結突起３７を嵌挿し、ボルト・ナットで支柱３０と連結突起３７を固定する。支柱３０、トップレール３５、横桟３２からなる手摺６０を、階段基部４１に固定して、手摺付き階段５５とする。【選択図】図２
2004285775.tif 000002
【特許請求の範囲】
【請求項１】
階段その他の通路の側板に支柱の下端部を固定し、各支柱間に架設したトップレールを、該支柱の上端部に固定してなる手摺において、以下のような構成としたことを特徴とする通路用の手摺。
（１）  前記支柱は、断面コ字状の外支柱片の内側に、内支柱片を嵌合して、形成する。
（２）  前記側板に固定した支柱取付け部材を、前記支柱の下端部に形成した下取付穴に嵌挿させて、前記支柱と前記側板とを固定する。
（３）  前記トップレールの下端に連設した連結突起を、前記支柱に形成した上取付穴に嵌挿して固定する。
【請求項２】
隣接する内支柱片と外支柱片とに横桟又は板材の両端を固定する請求項１記載の通路用手摺。
【請求項３】
支柱は、断面コ字状の外支柱片の内側に、断面コ字状の内支柱片を、開口側を対向して嵌合して、中空部を有する枠状に形成し、該中空部の上端部を上取付穴とし、下端部を下取付穴としたことを特徴とする請求項１記載の通路用の手摺。
【請求項４】
以下の工程で、通路の側板に手摺を構築することを特徴とする手摺の構築方法。
（１）  前記手摺用の支柱を外支柱片と該外支柱片に嵌合できる内支柱片とから構成し、所定距離を空けて縦に並列した前記外支柱片と前記内支柱片とを横桟又は板材で連結して、手摺枠部材を構成すると共に、
（２）  前記通路の側板に支柱受け部材を固定する。
（３）  前記手摺枠部材の各支柱片を前記支柱受け部材に当接するように、各手摺枠部材を並べて配置する。
（４）  隣接する手摺受け部材で、重ねた内支柱片と外支柱片とから支柱を構成すると共に、該支柱を前記支柱受部材に固定する。
（５）  重ねて形成した各支柱の上端に、手摺のトップレールを架設固定して手摺を構築する。
【発明の詳細な説明】
【０００１】
【発明の属する技術分野】
階段その他の通路の側板に固定する手摺であって、並べた支柱の上端をトップレールで固定してなる通路用の手摺、及び通路用の手摺の構築方法に関する。
【０００２】
【従来の技術】
階段用のささら桁（側板）に手摺を固定する為に、従来ではフラットバーからなる支柱を並列し、その上端にトップレールを架設して溶接固定し、また、支柱間に横桟を架設して溶接固定していた。また、支柱の下端部を直接にささら桁に溶接し、あるいは、支柱の下端部をささら桁に固定した取付金具に沿わせて、溶接又はボルトで、固定していた。
【０００３】
しかし、このようなフラットバーを使用する支柱では、溶接ビードが発生し、これが意匠上の見栄えが悪く、溶接ビードを削る処理工程が付加され、煩雑となっていた。
【０００４】
また、溶接を使用せずに、支柱・横桟・フラットバーを別部材として、現場に搬入して組み立てることも成されていたが、現場での組立作業が多くなる問題点があった。
【０００５】
一方、仮設手摺用の支柱では、床部に固定した固定パイプに、支柱を固定する場合、下端部のみを半割として、固定パイプに挿入した下端部の外径を拡大して固定パイプに、支柱を固定する発明が提案されている（特許文献１）。この場合、半割りにした支柱の下端部の径を大小に変化させて、取り外し、組立を容易としている。
【０００６】
また、アルミ製の門塀用の格子桟では、オス型継手とメス型継手とを有するフラット板を、オス型継手とメス型継手とを嵌合して、フラット板を切断して格子桟を製造する方法も提案されている（特許文献２）。
【０００７】
【特許文献１】特開平８−１５１７８４
【０００８】
【特許文献２】特公昭６１−５３４９６
【０００９】
【発明が解決しようとする課題】
前記従来の技術の内、特許文献１では、径を大小変化させて着脱を容易にしたものであり、下端部は固定パイプ内に隠れる構造であり、トップレール等の他の部材の取付などに下端部を利用できるものではなく、通路用の手摺の支柱には適用できなかった。また、特許文献１では、仮設用であり意匠的に表面の仕上げは問題とされない。
【００１０】
また、特許文献２でも、オス型継手とメス型継手とを嵌合して桟を形成するだけであり、他の部材の取り付け等については、一切記載されていないので、通路用の手摺の支柱には適用できなかった。
【００１１】
【課題を解決するための手段】
然るにこの発明では、断面コ字状の外支柱片に内支柱片を嵌合して支柱を構成し、支柱に形成される取付穴を利用して、側板に取付けし、またトップレールを取付けるので、前記問題点を解決した。
【００１２】
即ちこの手摺の発明は、階段その他の通路の側板に支柱の下端部を固定し、各支柱間に架設したトップレールを、該支柱の上端部に固定してなる手摺において、以下のような構成としたことを特徴とする通路用の手摺である。
（１）  前記支柱は、断面コ字状の外支柱片の内側に、内支柱片を嵌合して、形成する。
（２）  前記側板に固定した支柱取付け部材を、前記支柱の下端部に形成した下取付穴に嵌挿させて、前記支柱と前記側板とを固定する。
（３）  前記トップレールの下端に連設した連結突起を、前記支柱に形成した上取付穴に嵌挿して固定する。
【００１３】
また、前記において、隣接する内支柱片と外支柱片とに横桟又は板材の両端を固定する通路用手摺である。また、支柱は、断面コ字状の外支柱片の内側に、断面コ字状の内支柱片を、開口側を対向して嵌合して、中空部を有する枠状に形成し、該中空部の上端部を上取付穴とし、下端部を下取付穴としたことを特徴とする通路用の手摺である。
【００１４】
また、構築方法の発明は、以下の工程で、通路の側板に手摺を構築することを特徴とする手摺の構築方法である。
（１）  前記手摺用の支柱を外支柱片と該外支柱片に嵌合できる内支柱片とから構成し、所定距離を空けて縦に並列した前記外支柱片と前記内支柱片とを横桟又は板材で連結して、手摺枠部材を構成すると共に、
（２）  前記通路の側板に支柱受け部材を固定する。
（３）  前記手摺枠部材の各支柱片を前記支柱受け部材に当接するように、各手摺枠部材を並べて配置する。
（４）  隣接する手摺受け部材で、重ねた内支柱片と外支柱片とから支柱を構成すると共に、該支柱を前記支柱受部材に固定する。
（５）  重ねて形成した各支柱の上端に、手摺のトップレールを架設固定して手摺を構築する。
【００１５】
前記において、「通路」とは、段々を形成した階段、傾斜したスロープ、水平な通路などを含み、更にこれらを組み合わせた構造も含む。
【００１６】
【発明の実施の形態】
１本の支柱３０を、断面コ字状の外支柱片１８と、外支柱片１８内に嵌挿できる内支柱片２４とから組み合わせて構成する。距離Ｌ０を空けて配置した外支柱片１８と内支柱片２４とを横桟３２、３２で連結して、手摺枠部材３３を構成する（図２、図６）。
（２）  ささら桁（側板）１に踏板５７、５７を固定して階段基部４１とする。階段基部４１のささら桁（側板）１の外面に、支柱位置に合わせて支柱受け金具１２を、固定する（図３）。
（３）  同一スパンＬ０の手摺枠部材３３、３３を並列し、隣接する手摺枠部材３３、３３で、外支柱片１８に内支柱片２４を嵌合して支柱３０を形成する。支柱３０を組み立てながら、支柱受け金具１２を内外支柱片１８、２４で挟み、内外支柱片１８、２４及び支柱受け金具１２をボルト・ナットでまとめて固定する（図３、図４）。
（４）  支柱３０、３０の上端に形成される上取付穴５１に、トップレール３５の連結突起３７、３７を嵌挿し、ボルト・ナットで支柱３０と連結突起３７を固定する（図５）。
（５）  以上のようにして、支柱３０、トップレール３５及び横桟３２からなる手摺６０を、階段基部４１に固定して、手摺付きの階段５５を構成する（図２、図１）。
【００１７】
【実施例１】
図面に基づきこの発明を階段に適用した実施例について説明する。
【００１８】
［１］ささら桁（側板）１の構成
【００１９】
階段の踏板５７、５７を支えるささら桁１は、所定幅Ｌ３（例えば、Ｌ３≒２１０ｍｍ）の鋼板で（図２、図９（ｂ））、走行方向の下端部を屈曲して、縦方向の基板２の下端縁に横方向のリブ３を形成して構成する。基板２のリブ側を内面２ａ、反対側を外面２ｂとする（図９）。
【００２０】
踏板５７の端部下面を支えることができる受け板７の一側（下段側）７ａに補強板１０を連設して逆Ｌ字状に形成した踏板受け金具６を構成する。踏板受け金具６を基板２の内面２ａで、踏板設置予定位置に配置し、受け板７の他側（上段側）７ｂの端をリブ３の上面３ａに当接し、補強板１０の下端１０ａもリブ３の上面３ａに当接する。当接部分で、リブ３と階段受け金具６とを溶接固定し、その他、必要箇所で基板２と踏板受け金具６とを溶接する。踏板受け金具６の受け板７の中央部は、膨出部８が形成され、膨出部８の先端部に踏板５７固定用の透孔９、９が穿設されている（図９）。
【００２１】
基板２の外面２ｂで、手摺用の支柱３０を取付ける位置に、支柱受け金具１２が縦方向に溶接固定されている（図３（ａ）（ｂ）、図７（ｂ）、図８）。支柱受け金具１２は、支柱３０に嵌挿できる基部１３の下部に、基板２の外面２ｂに固定する為の連結部１４を形成して一体の板状に形成されている。基部１３の上部と基板２の外面２ｂとは、所定の間隙１５が形成される。また、基部１３の下部には、支柱３０を取り付けるための透孔１６、１６が穿設され、基部１３の下端部外側に支柱３０の下端を受ける係止突部１７が形成されている。この実施例では、４箇所に支柱受け金具１２、１２を配置する（図２）。
【００２２】
尚、このささら桁１では、１枚板ではなく、基板２にリブ３を形成した構造したので、鋼材を薄くでき（例えば、６ｍｍ程度）、かつ薄くしても反りを生じることがない。
【００２３】
［２］手摺用の支柱３０の構成
【００２４】
手摺を受ける支柱３０は、ウエブ部１９の両端に夫々フランジ部２０、２０が連設された断面コ字状の外支柱片１８と、外支柱片１８内に嵌挿できる断面コ字状の内支柱片２４とを組み合わせて構成する。内支柱片２４もウエブ部２５の両端に夫々フランジ部２６、２６を連設して構成する（図４（ａ）、図５（ｅ）、図６（ｂ））。この実施例では、１つのささら桁１に対して、４つの支柱３０、３０を使用するので、同一形状の外支柱片１８、内支柱片２４を４本づつ用意する。
【００２５】
各支柱片１８、２４には、ウエブ部１９、２５の上端部にトップレール３５を取付ける為の透孔２１、２７（図５）、ウエブ部１９、２５の中間部には横桟３２、３２の両端を嵌挿できる透孔２２、２８（図６）が夫々穿設されている。また、各支柱片１８、２４のウエブ部１９、２５の下端部には支柱受け金具１２を取付ける為の透孔２３、２９が穿設されている（図３）。
【００２６】
［３］手摺枠部材３３の構成
【００２７】
外支柱片１８と内支柱片２４とを、ウエブ部１９、２５を対向して、間隔Ｌ０（例えば、Ｌ０≒８６０ｍｍ）を空けると共に上下にずらして、階段に沿うように並列し、外支柱片１８の透孔２２と、内支柱片２４の透孔２８とに、横桟３２の両端部を嵌挿して溶接固定する。横桟３２は２つを平行に使用する。以上のようにして、手摺枠部材３３を構成する（図２、図６）。
【００２８】
この実施例では、同一形状の手摺枠部材３３を３つ形成し、手摺枠部材３３に使用しない、外支柱片１８と内支柱片２４とが１本づつ残る。
【００２９】
尚、ここで、内外支柱片１８、２４のフランジ部２０、２６の内、ささら桁１側のフランジ部２０、２６は、下端から長さＬ２だけ除去して形成してある（図３（ｂ））。また、内外支柱片１８、２４の上端は、重ねて支柱３０を形成した状態でトップレール３５の下面に密着できるように、斜めに切り揃えてある（図５（ａ）（ｂ））。
【００３０】
手摺枠部材３３、及び残った内外支柱片１８、２４に必要な防錆処理、塗装等仕上げを施す。溶接箇所は、横桟３２との固定部分だけであり、更に、横桟３２はウエブ部１９、２５の透孔２２、２８に嵌挿した状態で溶接されるので、溶接ビードがほとんど目立たない。
【００３１】
［４］手摺用のトップレール３５の構成
【００３２】
トップレール３５は、支柱３０の上端に配置して、支柱３０を連結するものであり、階段の傾斜に対応した斜め方向の基部３６に、支柱３０取付位置毎に、下方に向けた連結突起３７、３７を突設して構成する（図２、図５（ａ）（ｂ））。連結突起３７には、支柱３０を固定するための透孔３８を穿設してある。また、トップレール３５の基部３６は使用者がこれを握り易い断面形成に形成されている。また、最下端の連結突起３７から距離Ｌ１の位置まで、基部３６を延長して、下方に向けて屈曲して、補助支柱３９を形成してある（図２、図７）。
【００３３】
補助支柱３９は、手摺枠部材３３を所定距離Ｌ０で統一して形成したので、必要な手摺の長さを調節する為に使用する。従って、必要な手摺（トップレール）の支柱片間（支柱間）の長さがＬ０の倍数であれば、不要である。
【００３４】
［５］手摺り付き階段５５の施工方法
【００３５】
（１）２枚のささら桁１、１を、リブ３側を対向して幅Ｄ０で並列し、各踏板受け金具６、６に踏板５７、５７を架設して、受け板７の下面側から透孔９にビス（タッピングビス）５８を打ち、受け板７と踏板５７とを固定する。以上のような構造を階段基部４２とし（図１、図２）、これを予め工場で製造する。
【００３６】
（２）施工現場に、手摺枠材３３、３３、外支柱片１８、内支柱片２４、トップレール３５（図２）、及び階段基部４１、を搬入する。
【００３７】
（３）  基準階の床４３と次階の床４４との間に、階段基部４１を架設する（図１、図２）。階段基部４１のささら桁１の下端のリブ４の透孔を挿通したコーチボルト４５で、階段基材４１を基準階の床４３と固定し（図７）、階段基部４１の上端に固定した固定金具４２の透孔に挿通したコーチボルト４５で、階段基部４１と次階の床４４とを固定する（図８）。
【００３８】
（４）続いて、最下段で、単独の外支柱片１８と手摺枠部材３３の内支柱片２４とをフランジ部２０、２６を重ねるように合わせて、支柱３０を形成すると共に、各支柱片１８、２４で、ささら桁１の最下端の支柱受け金具１２の基部１３を挟むように配置する。この際、支柱３０の下端が支柱受け金具１２の係止突部１７に当接する。この状態で、連通した外支柱片１８の透孔２３と、内支柱片２４の透孔２９と支柱受け金具１２の透孔１６とにボルト４７を挿通してナット（袋ナット）４８を螺合して、支柱受け金具１２に支柱３０を固定する（図７（ｂ）、図３）。
【００３９】
尚、ここで、内外支柱片１８、２４を重ねた状態で、支柱３０は中空部を有する角筒状に形成され、中空部の下端側を下取付穴５０とした場合、下取付穴５０に支柱受け金具１２が挿入した構造となっている。
【００４０】
同様に、上段側の手摺枠部材３３の内支柱片２４を、既設の手摺枠部材３３の外支柱１８に重ねて支柱３０を構成しつつ、支柱３０をささら桁１の支柱受け金具１２に嵌装して、ボルト４７、ナット（袋ナット）４８で固定する。
【００４１】
以下、同様に繰り返して、総ての手摺枠部材３３、３３を、支柱３０を構成しながら、支柱受け金具１２、１２に固定し、最上段の手摺枠部材３３の外支柱片１８に、単独の内支柱片２４とを重ねて、最上段の支柱３０を構成して、同様に、最上段の支柱受け金具１２に固定する（図８）。
【００４２】
尚、ここで、内外支柱片１８、２４を重ねない状態で、夫々の支柱片１８、２４を支柱受け金具１２に当接して支柱３０を構成することもできる。また、下段側から作業をしたが、上段側の手摺枠部材３３から順に作業をすることもできる。
【００４３】
以上の作業では、内外支柱片１８、２４を合わせながら、内外支柱片１８、２４の下端を支柱受け金具１２の係止突部１７に当接することにより、各透孔２３、６が連通し、更にその状態を維持して透孔２３、１６にボルト４７を挿入できるので、作業中に透孔１６、２３付近を目視する必要なく、固定作業が簡略化できる。また、階段基部４１の踏板５７上から作業ができるので、足場等の仮設物を使用する必要もない。
【００４４】
（５）支柱３０は内外支柱片１８、２４を組み合わせて形成されるので、角筒状で中空部が形成され、中空部の上端側に上取付穴５１を構成する。各支柱３０の上方にトップレール３５を配置し、各支柱３０、３０の上取付穴５１、５１にトップレール３５の連結突起３７、３７を挿入する（図５（ａ）（ｂ））。この状態で、各支柱３０で、各支柱片１８、２４の透孔２１、２８と、連結突起３７の透孔３８とが連通するので、透孔２１、２８、３８にボルト４７を挿通してナット（袋ナット）４８を螺合緊結して支柱３０にトップレール３５を固定する（図５（ｃ）〜（ｅ））。
【００４５】
また、補助支柱３９は、その下端部を、予めささら桁１の基板２外面２ｂに突設しておいた受け金具５３に添設して、連通した透孔を使用してボルト４７、ナット（袋ナット）４８で固定する。
【００４６】
（６）以上のようにして、手摺付きの階段５５の構築する（図１、図２）。ここで、支柱３０、トップレール３５、横桟３２から手摺６０を構成する。
【００４７】
ここで、階段基部４１を架設固定した後に手摺を取り付けたが、予め階段基部４１に手摺枠部材３３及び内外支柱片１８、２４を取り付けた状態で、階段基部４１を次階の床４４に架設することもできる。また、更に支柱３０にトップレール３５を取り付けた後に、階段基部４１を次階の床４４に架設することもできる。
【００４８】
また、この手摺付き階段５５では、補助支柱３９の受け金具５３を除き、取付用のプレート類が、支柱３０内に納まるので、外側に現れず、シンプルな外観の手摺の意匠を形成できる。
【００４９】
［６］他の実施例
【００５０】
（１）前記実施例において、内支柱片２４は、断面コ字状としたが、上端にトップレール３５の連結突起３７を挿入できる上取付穴５１が形成され、下端に、支柱受け金具１２を挿入できる下取付穴５０が形成されていれば、中実の棒状の部材から構成することもできる（図示していない）。
【００５１】
（２）また、前記実施例において、横桟３２はフラットバーから構成した断面横長長方形状としたが、丸棒（円形）、パイプ等他の材料を使用することもできる（図示していない）。
また、これらの剛性を有する部材に代わり、ワイヤー類の両端部を支柱３０、３０又は各支柱片１８、２４に取り付けて、テンションを掛けた状態で固定することもできる（図示していない）。
【００５２】
（３）また、前記実施例において、横桟３２、３２の間、又は横桟３２、３２、支柱３０、３０の間に、ポリカーボネート等の合成樹脂製や硝子製その他の材質による板材を取り付けて、手摺６０を構成することもできる（図示していない）。この場合には、手摺枠部材３３において板材を取り付ける。板材は、主に意匠上の観点から使用し、透明や半透明の材料とすることもできる。
また、支柱３０、３０間、即ち、手摺枠部材３３の内外支柱片１８、２４間に、横桟３２、３２に代えて、板材の両端部を固定することもできる（図示していない）。
【００５３】
（４）また、前記実施例において、内外支柱片１８、２４を横桟３２、３２で連結して手摺枠部材３３を構成したが、支柱３０、３０の取付間隔Ｌ０を短く（例えば、Ｌ０≒１５０ｍｍ程度）形成すれは、横桟３２、３２は不要であり、この場合には、必要数の単独の内外支柱片１８、２４を現場に搬入して組み立てる（図示していない）。
【００５４】
【発明の効果】
内外支柱片を組み合わせて支柱を形成し、支柱の上下取付穴を使用して、通路の側板に固定し、トップレールを固定したので、手摺製造する際の溶接作業を大幅に省略して、構築現場でのボルト・ナットを使用した、即ち溶接によらない連結作業で、手摺を構築できる効果がある。
【００５５】
また、各支柱片を断面コ字状とした場合には、使用する部材を薄くできるので、鋼板の加工にレーザー加工機等を使用することなるプレス機で製造できるので、生産コストを大幅に軽減できる。また、部材を薄くできるので、全体の重量を軽減でき、搬送・組立において、効率化を図れる。通路に使用する側板をリブを有する構造とすれば更に、この効果を高められる。
【００５６】
また、内外支柱片を横桟で連結して、手摺枠部材を形成して、手摺枠部材を組み立てて手摺を構成する場合には、手摺組立作業を簡略化すると共に現場に搬入する部材の点数を軽減して、効率良い手摺付きの階段の構築ができる効果がある。
【図面の簡単な説明】
【図１】この発明の実施例で、階段に適用した場合の正面図である。
【図２】図１のＦ−Ｆ線における断面図である。
【図３】支柱とささら桁との固定構造を表す図で、（ａ）は拡大側面図、（ｂ）は（ａ）のＧ−Ｇ線における一部断面図で支柱取付前の状態、（ｃ）は同じくＧ−Ｇ線における一部断面図で支柱取付後の状態を表す。
【図４】（ａ）は図３（ｃ）のＡ−Ａ線における断面図、（ｂ）は同じくＢ−Ｂ線における断面図である。
【図５】支柱の上端部の一部拡大図で、（ａ）はトップレール取付前の拡大側面図、（ｂ）は（ａ）のＣ−Ｃ断面図、（ｃ）はトップレール取付後の拡大側面図、（ｄ）は（ｃ）のＤ−Ｄ断面図、（ｅ）は（ｃ）のＥ−Ｅ断面図である。
【図６】支柱の中間部の一部拡大図で、（ａ）は拡大側面図、（ｂ）は（ａ）のＨ−Ｈ線における断面図である。
【図７】ささら桁の基準階側の一部拡大図で、（ａ）は図１のＩ部の拡大正面図、（ｂ）は拡大右側面図である。
【図８】ささら桁の次階側の一部拡大図で、（ａ）は図２のＪ部の拡大図、（ｂ）は（ａ）のＫ−Ｋ線における断面図である。
【図９】ささら桁の踏板受け金具部分を表す拡大図で、（ａ）は踏板取付前の拡大平面図、（ｂ）は踏板取付後の拡大縦断面図である。
【符号の説明】
１    ささら桁（側板）
２    基板
３    リブ
４    リブ（下端側）
６    踏板受け金具
７    受け板
８    膨出部
９    透孔
１０  補強板
１２  支柱受け金具
１３  基部
１４  連結部
１５  間隙
１６  透孔
１７  係止突部
１８  外支柱片
１９  ウエブ部
２０  フランジ部
２１  透孔（トップレール用）
２２  透孔（横桟用）
２３  透孔（支柱受け金具用）
２４  内支柱片
２５  ウエブ部
２６  フランジ部
２７  透孔（トップレール用）
２８  透孔（横桟用）
２９  透孔（支柱受け金具用）
３０  支柱
３２  横桟
３３  手摺枠部材
３５  トップレール
３６  基部
３７  連結突起
３８  透孔
３９  補助支柱
４１  階段基部
４３  基準階の床
４４  次階の床
５０  下取付穴
５１  上取付穴
５５  手摺付き階段
５７  踏板
６０  手摺
【図１】
2004285775.tif 000003
【図２】
2004285775.tif 000004
【図３】
2004285775.tif 000005
【図４】
2004285775.tif 000006
【図５】
2004285775.tif 000007
【図６】
2004285775.tif 000008
【図７】
2004285775.tif 000009
【図８】
2004285775.tif 000010
【図９】
2004285775.tif 000011